(57)【要約】【課題】  屋外側からの手や針金等の挿入による不正な解錠を防止できる防犯サムターンを提供し、サムターンの防犯性を向上させる。【解決手段】  錠箱機構部に回動操作力を入力するサムターン軸１１と、扉に固設されサムターン軸１１を回動自在に支持する固定筒１３と、固定筒１３から同軸に突出して外挿される化粧リング１５と、化粧リング１５に回動自在に内設される可動筒１７と、可動筒１７に揺動自在に支持され化粧リング１５から半部が突出可能な摘み部材１９と、摘み部材１９とサムターン軸１１との間で可動筒１７に相対回転不能に内設されかつ摘み部材１９の外方への突出動によって押圧されてサムターン軸１１に接近動するクラッチピース２１とを具備し、クラッチピース２１のサムターン軸１１への接近動によって相対回転不能に噛合する突条３３、係合溝３５をサムターン軸１１とクラッチピース２１とに亘って設けた。【選択図】      図１
2006249686.tif 000002
【特許請求の範囲】
【請求項１】
錠箱機構部に回動操作力を入力するサムターン軸と、
扉の屋内側の面に固設され該サムターン軸を回動自在に支持する固定筒と、
該固定筒から同軸に突出して外挿される筒状の化粧リングと、
該化粧リングに回動自在に内設され前記サムターン軸が相対回転可能に貫通する可動筒と、
該可動筒の直径方向の支軸を介して該可動筒の内部に揺動自在に支持され該揺動によって前記化粧リングから外方へ半部が突出可能となった摘み部材と、
該摘み部材と前記サムターン軸との間で前記可動筒に相対回転不能に内設されかつ前記摘み部材の外方への突出動によって押圧されて前記サムターン軸に接近動するクラッチピースとを具備し、
前記クラッチピースの前記サムターン軸への接近動によって相対回転不能に噛合する係合手段が前記サムターン軸と前記クラッチピースとに亘って設けられたことを特徴とする防犯サムターン。
【請求項２】
前記摘み部材の背面に付設された磁性体と、
前記可動筒に固設され前記摘み部材の半部が前記化粧リングから外方へ突出した姿勢で該磁性体に吸着する磁石と、
を具備したことを特徴とする請求項１記載の防犯サムターン。
【請求項３】
前記可動筒に形成され前記摘み部材の一方向の揺動を規制するストッパ段部と、
前記可動筒の直径方向に摺動自在となって前記摘み部材に設けられ摺動によって該摘み部材から突出することで前記可動筒に係止して前記摘み部材の他方向の揺動を阻止するラッチと、
を具備したことを特徴とする請求項１又は２記載の防犯サムターン。
【発明の詳細な説明】
【技術分野】
【０００１】
本発明は、防犯サムターンに関する。
【背景技術】
【０００２】
従来、サムターン付きの施錠装置は、扉などの開閉体に錠箱が内蔵され、錠箱には、開閉体の屋外側に露出するシリンダー錠と、開閉体の屋内側に露出する回転式のサムターンとが設けられている。
【０００３】
錠箱には、ロック部材である例えばデッドボルトが開閉体の端面（木口）から進退自在に設けられている。
この種の施錠装置では、屋外側に露出したシリンダー錠の鍵孔に、合鍵（キー）を挿入して回転操作することによって、開閉体の木口よりデッドボルトが進退され、建物躯体側の開閉体枠である開口枠体に設けたストライクに対して施解錠が行われるようになっている。
【０００４】
また、屋内側からは、下記特許文献１に示されるような翼板形状のサムターンの摘みが回転操作されるのみで、デッドボルトが進退され、開閉体の施解錠が簡便に行えるようになっている。
【特許文献１】特公平２−１５７１５号公報  （第１図ｂ，第１図ｃ）
【発明の開示】
【発明が解決しようとする課題】
【０００５】
近年、マンションや住宅の玄関扉等の開閉体、あるいはこれら玄関扉等の開閉体近傍における開口枠体の周囲である壁部分に、高級感や優美性を高める目的で、ガラス板を嵌め込んだ小窓付のものが多用されるようになってきている。
ところが、このような開閉体の小窓や壁部分の小窓では、ガラス板が割られると、外部から、手を差し入れてサムターンを不正に操作したり、先端を鉤状に曲げた針金等を挿入して、サムターンが不正に操作されてしまう虞れがある。
【０００６】
一般的に、扉に多用される回転式のサムターンは、屋内側に露出する摘み部の翼板部に針金の鉤状先端等を掛止し、回転モーメントを与えることにより不正な解錠操作が可能となる場合がある。
【０００７】
また、サムターンは、小窓の無い開閉体においても、針金を挿入する隙間や孔などが開閉体自体あるいは壁部分にあれば、同様に不正解錠される虞れがあった。
【０００８】
本発明は上記状況に鑑みてなされたもので、屋外側からの手や針金等の挿入による不正な解錠を防止できる防犯サムターンを提供し、もって、サムターンの防犯性向上を図ることを目的とする。
【課題を解決するための手段】
【０００９】
次に、上記の課題を解決するための手段を、実施の形態に対応する図面を参照して説明する。
本発明の請求項１記載の防犯サムターン１００は、錠箱機構部に回動操作力を入力するサムターン軸１１と、
扉の屋内側の面に固設され該サムターン軸１１を回動自在に支持する固定筒１３と、
該固定筒１３から同軸に突出して外挿される筒状の化粧リング１５と、
該化粧リング１５に回動自在に内設され前記サムターン軸１１が相対回転可能に貫通する可動筒１７と、
該可動筒１７の直径方向の支軸５９を介して該可動筒１７の内部に揺動自在に支持され該揺動によって前記化粧リング１５から外方へ半部が突出可能となった摘み部材１９と、
該摘み部材１９と前記サムターン軸１１との間で前記可動筒１７に相対回転不能に内設されかつ前記摘み部材１９の外方への突出動によって押圧されて前記サムターン軸１１に接近動するクラッチピース２１とを具備し、
前記クラッチピース２１の前記サムターン軸１１への接近動によって相対回転不能に噛合する係合手段（突条３３，係合溝３５）が前記サムターン軸１１と前記クラッチピース２１とに亘って設けられたことを特徴とする。
【００１０】
この防犯サムターン１００では、摘み部材１９が押されることにより、可動筒１７内で揺動し、サムターン軸１１の軸線方向と略平行となって半部１９Ａが可動筒１７から突出し、操作が可能となる。一方、通常状態では、摘み部材１９が可動筒１７の内部に収容され、突出されなくなり、摘み操作は元より、棒による押圧操作や針金による引っ掛け操作が不能となる。これに加え、摘み部材１９の半部１９Ａが突出されなければ、係合手段（突条３３，係合溝３５）が係合せず、可動筒１７が空転状態となって、錠箱機構部への操作力の入力が不能となる。
【００１１】
請求項２記載の防犯サムターン１００は、前記摘み部材１９の背面に付設された磁性体７５と、
前記可動筒１７に固設され前記摘み部材１９の半部１９Ａが前記化粧リング１５から外方へ突出した姿勢で該磁性体７５に吸着する磁石８７と、
を具備したことを特徴とする。
【００１２】
この防犯サムターン１００では、摘み部材１９の半部１９Ａが突出されると、摘み部材１９の背面に設けられた磁性体７５が、可動筒１７に固設された磁石８７に吸着保持され、摘み部材１９が突出状態に保持される。
【００１３】
請求項３記載の防犯サムターン１００は、前記可動筒１７に形成され前記摘み部材１９の一方向の揺動を規制するストッパ段部５１と、
前記可動筒１７の直径方向に摺動自在となって前記摘み部材１９に設けられ摺動によって該摘み部材１９から突出することで前記可動筒１７に係止して前記摘み部材１９の他方向の揺動を阻止するラッチ６３と、
を具備したことを特徴とする。
【００１４】
この防犯サムターン１００では、摘み部材１９が突出しない通常状態で、摘み部材１９の一方向の揺動がストッパ段部５１によって規制され、他方向の揺動がラッチ６３によって規制される。したがって、摘み部材１９は、ラッチ６３と可動筒１７との係止が解除されなければ、収容状態を保持したままとなり突出されることがない。
【発明の効果】
【００１５】
本発明に係る請求項１記載の防犯サムターンによれば、摘み部材の操作時、摘み部材を押すことで、摘み部材が可動筒内で揺動し、サムターン軸の軸線方向と略平行となって半部が可動筒から突出し、操作が可能となる。一方、通常状態では、摘み部材を可動筒の内部に収容して突出させないことで、小窓などのガラス板を割り、外部から手を差し入れたり、或いは扉と扉枠の隙間から針金を差し入れても、サムターンを不正に解錠操作できない。これに加え、摘み部材の突出動によってサムターン軸に接近動するクラッチピースを可動筒に内設し、この接近動によって噛合する係合手段をサムターン軸とクラッチピースとに亘って設けたので、摘み部材の半部を突出させなければ、係合手段が係合せず、可動筒を空転状態として、錠箱機構部への操作力の入力を不能にすることができる。この結果、摘み部材の収容状態においても、摘み部材での回転による操作力の入力を不能にして、防犯性を一層向上させることができる。
【００１６】
請求項２記載の防犯サムターンによれば、摘み部材の背面に磁性体を付設し、摘み部材の半部が突出した姿勢でこの磁性体に吸着する磁石を可動筒に固設したので、摘み部材の突出状態での保持が可能となり、操作性を向上させることができる。
【００１７】
請求項３記載の防犯サムターンによれば、摘み部材の一方向の揺動を規制するストッパ段部を可動筒に形成し、摘み部材の他方向の揺動を阻止するラッチを摺動自在に摘み部材に設けたので、ラッチを摺動させてラッチと可動筒との係止を解除しなければ摘み部材が突出不能となり、棒等の押圧による容易な摘み部材の突出操作を防止し、さらに防犯性を高めることができる。
【発明を実施するための最良の形態】
【００１８】
以下、本発明に係る防犯サムターンの好適な実施の形態を図面を参照して詳細に説明する。
図１は本発明に係る防犯サムターンの断面図、図２は図１に示した防犯サムターンの正面図、図３は図１に示した防犯サムターンの分解側面図、図４はサムターン軸の斜視図、図５はサムターン軸とクラッチピースの分解斜視図、図６はクラッチピースの斜視図である。
図示しない扉には錠箱を設けてあり、この錠箱はラッチボルト、デッドボルト、及びこれらを扉の木口から進退させる錠箱機構部を内設している。扉は屋内側の面に防犯サムターン１００を備えている。上記した錠箱のデッドボルトは、扉の屋外側の面に設けたシリンダー錠をキーによって、又はこの防犯サムターン１００を回動することによって扉木口から進退可能となる。
【００１９】
防犯サムターン１００は、サムターン軸１１と、固定筒１３と、化粧リング１５と、可動筒１７と、摘み部材１９と、クラッチピース２１とを主要部材として備えている。
サムターン軸１１は、扉の屋内面側、好ましくは錠箱側面に固定した固定筒１３にブッシュ２３を介し回動自在に支持される。そして扉内に配置される先端１１ａが、錠箱機構部に連動連結され、錠箱機構部に回動操作力を入力する。サムターン軸１１は、中途の周溝１１ｂにワッシャ２５，止めリング２７などが配設されることにより、固定筒１３に対し抜脱不能とされる。先端１１ａは、例えば円周方向に等間隔で４つの凸部１１ｃが形成されることにより、錠箱の連結部３２（図１参照）との相対回転が規制されている。
【００２０】
サムターン軸１１の基端面にはバネ挿入穴２９が軸線方向に穿設され、バネ挿入穴２９はクラッチバネ３１を突出させた状態で収容する。このサムターン軸１１の基端部外周には円周方向に等間隔で４つの係合手段である突条３３が突設され、この突条３３はクラッチピース２１の後述する係合手段である係合溝３５と係合する。
【００２１】
固定筒１３は、基端部に突設された固定部３７の固定穴３９が錠箱側面に固定される。固定筒１３は、内部に形成された小径穴部４１（図１参照）によって、サムターン軸１１を回動自在に支持する。
【００２２】
化粧リング１５は、固定筒１３の先端側に外挿され、固定筒１３から同軸に突出される。固定筒１３の先端外周にはリングバネ４３が装着され、リングバネ４３は一端が固定筒１３のフランジ部４５に当接し、他端が化粧リング１５の鍔部４７に当接する。これにより、化粧リング１５は、リングバネ４３の付勢力によって扉屋内面に後面１５ａが当接される。なお、図１には、扉の厚さが異なる場合の化粧リング１５の当接位置を、上半部においては厚さの薄い場合、下半部においては厚みのある場合の図として示している。
【００２３】
可動筒１７は、化粧リング１５に回動自在に内設される。また、サムターン軸１１が相対回転可能に貫通する貫通穴４９を有する。可動筒１７の先端側は開口され、開口部にはストッパ段部５１が形成される。このストッパ段部５１には、摘み部材１９の縁部と、後述のマグネットホルダ５３とが配置される。可動筒１７のストッパ段部５１と貫通穴４９との間には回転規制溝５５が形成され、回転規制溝５５はクラッチピース２１の外周に突設された回転規制突起５７に係合してクラッチピース２１の回転を規制する。つまり、クラッチピース２１は、可動筒１７と相対回転が規制されつつ、軸線方向に移動自在となっている。
【００２４】
摘み部材１９は、可動筒１７の直径方向の一対の支軸５９，５９（図２参照）を介して可動筒１７の内部に揺動自在に支持される。摘み部材１９は、揺動によって化粧リング１５から外方へ半部１９Ａ（図９参照）が突出可能となる。つまり、摘み部材１９は、支軸５９を中心とした回動によって、水平方向に姿勢することで化粧リング１５から略半分が外方へ突出し、また、垂直方向に姿勢することで化粧リング１５の開口面と略同一面状に位置して化粧リング１５内に収容可能となっている。
【００２５】
摘み部材１９の背面には直径方向の収容溝６１が形成され、収容溝６１にはラッチ６３が直径方向に摺動自在となっている。ラッチ６３には操作突起６５が突設され、操作突起６５は摘み部材１９の窓部６７から屋内側に露出される。また、ラッチ６３と摘み部材１９との間にはラッチバネ６９が配設され、ラッチバネ６９はラッチ６３を図１の上方向へ付勢する。ラッチ６３の付勢方向先端は係止爪７１となり、係止爪７１は可動筒１７に穿設された係止孔７３に係止するようになっている。収容溝６１に配置されたラッチ６３は、磁性体である取付板７５がビス７７（図２参照）によって摘み部材１９の背面に固定されることで摺動自在に保持される。
【００２６】
クラッチピース２１は、摘み部材１９とサムターン軸１１との間で、可動筒１７に相対回転不能に内設される。図６に示すように、クラッチピース２１の先端面には凸曲面７９が形成され、凸曲面７９は先端面周縁から中央に向かって徐々に隆起している。また、この先端面には直径方向に挿入溝８１が形成され、挿入溝８１にはラッチ６３の係止爪７１が進入可能となる。凸曲面７９の下端には切欠部８３が形成され、この切欠部８３にはラッチ６３の肩部８５（図２参照）が脱着自在に嵌入するようになっている。
【００２７】
このクラッチピース２１は、摘み部材１９の外方への突出動によって押圧されて、サムターン軸１１に接近動するようになっている。これらクラッチピース２１とサムターン軸１１とには、係合手段である上記の突条３３と係合溝３５とが形成されている。突条３３と係合溝３５は、クラッチピース２１のサムターン軸１１への接近動によって相対回転不能に噛合する。つまり、摘み部材１９が突出した状態では、摘み部材１９の回転操作によって回転する可動筒１７及びクラッチピース２１によって、サムターン軸１１が連動回転するようになっている。
【００２８】
可動筒１７にはストッパ段部５１が形成され、ストッパ段部５１は摘み部材１９の一方向の揺動を規制する。また、摘み部材１９に設けられたラッチ６３は、摺動によって摘み部材１９から突出することで、可動筒１７の係止孔７３に係止して摘み部材１９の他方向の揺動を阻止する。したがって、摘み部材１９が突出しない通常状態で、摘み部材１９の一方向の揺動がストッパ段部５１によって規制され、他方向の揺動がラッチ６３によって規制される。摘み部材１９は、ラッチ６３と可動筒１７との係止が解除されなければ、収容状態を保持したままとなり突出されることがない。これにより、ラッチ６３を摺動させて可動筒１７との係止を解除しなければ摘み部材１９が突出不能となり、棒等の押圧による容易な摘み部材１９の突出操作が防止され、防犯性が高められるようになっている。
【００２９】
可動筒１７の内部には板金材等によって略Ｓ字形状に形成したマグネットホルダ５３が固設される。マグネットホルダ５３は、磁石８７を収容する。磁石８７は、摘み部材１９の半部１９Ａが化粧リング１５から外方へ突出した姿勢で、取付板７５に吸着する。このように、摘み部材１９の背面に磁性体である取付板７５を付設し、摘み部材１９の半部１９Ａが突出した姿勢でこの取付板７５に吸着する磁石８７を可動筒１７に固設したので、摘み部材１９の突出状態での保持が可能となり、操作性を向上させることができる。
【００３０】
次に、この防犯サムターン１００の使用方法を説明する。
図７はラッチの係止解除状態を表す動作説明図、図８は摘み部材によるクラッチピース押圧開始状態を表す動作説明図、図９はサムターン軸とクラッチピースの係合状態を表す動作説明図である。
防犯サムターン１００は、通常時、図１に示すように、摘み部材１９の回動下端がストッパ段部５１に当接し、ラッチ６３の係止孔７１が可動筒１７の係止孔７３に係止し、化粧リング１５内に収容状態となっている。したがって、この状態で摘み部材１９は、化粧リング１５の垂直な開口面と同一平面となって突出せず、また、扉面に平行な状態となっており、回動操作が行えない。
【００３１】
この状態で、仮に摘み部材１９が回転されても、クラッチピース２１の係合溝３５とサムターン軸１１の突条３３とが噛合していないので、摘み部材１９及び可動筒１７は、クラッチピース２１と共に空転するだけとなる。なお、クラッチピース２１は、クラッチバネ３１の付勢力によって図１の右方へ移動され、サムターン軸１１から離反されている。
【００３２】
一方、ラッチ６３の操作突起６５を図７の下方向へ摺動し、係止爪７１と係止孔７３との係止を解除させた後、垂直方向に姿勢した摘み部材１９の回動上端を図７の矢印ａ方向に押すと、摘み部材１９が支軸５９中心に回動する。この回動では、図８に示すように、摘み部材１９の回動上端が可動筒１７内へ倒れ、回動下端が手前に突出し始める。
【００３３】
これと同時に、ラッチ６３の係止爪７１が、クラッチピース２１の挿入溝８１に進入するとともに、ラッチ６３の肩部８５がクラッチピース２１の凸曲面７９を押圧し、クラッチピース２１を図８の左方へ移動させる。摘み部材１９がさらに揺動され、図９に示すように、水平方向になると、回動下端側の略半部１９Ａが水平に突出状態となる。水平となった摘み部材１９は、回動上端の背面の取付板７５が磁石８７に吸着して位置保持される。
【００３４】
このようにして摘み部材１９が可動筒１７から突出した状態では、クラッチピース２１がクラッチバネ３１の付勢力に抗して図９の左方に移動完了し、これにより係合溝３５と突条３３とが噛合し、クラッチピース２１とサムターン軸１１とが相対回転不能となって連結状態となる。この状態で摘み部材１９の半部１９Ａを手指で摘み、可動筒１７を回動する。この結果、摘み部材１９、可動筒１７、クラッチピース２１、及びサムターン軸１１を介して回動操作力が錠箱機構部に入力されることとなって、錠箱のデッドボルトが扉木口から進退して、施錠装置の施解錠が可能となる。
【００３５】
なお、摘み部材１９は、回動上端の表面に、「ＰＵＳＨ」や「押す」などの文字の印刷、刻印による標示を設けることが好ましい。このような標示を設けることで、予め押し込み側を視認することができ、逆側（回動下端）を押してしまう押し間違いをなくし、操作性を向上させることができる。
【００３６】
したがって、この防犯サムターン１００によれば、摘み部材１９の操作時、摘み部材１９を押すことで、摘み部材１９が可動筒１７内で揺動し、サムターン軸１１の軸線方向と略平行となって半部１９Ａが可動筒１７から突出し、操作が可能となる。一方、通常状態では、摘み部材１９を可動筒１７の内部に収容して突出させないことで、小窓などのガラス板を割り、外部から手を差し入れたり、或いは扉と扉枠の隙間から針金を差し入れても、サムターンを不正に解錠操作できない。
【００３７】
これに加え、摘み部材１９の突出動によってサムターン軸１１に接近動するクラッチピース２１を可動筒１７に内設し、この接近動によって噛合する突条３３、係合溝３５をサムターン軸１１とクラッチピース２１とに亘って設けたので、摘み部材１９の半部１９Ａを突出させなければ、突条３３、係合溝３５が係合せず、可動筒１７を空転状態として、錠箱機構部への操作力の入力を不能にすることができる。この結果、摘み部材１９の収容状態においても、摘み部材１９での回転による操作力の入力を不能にして、防犯性を一層向上させることができる。
【図面の簡単な説明】
【００３８】
【図１】本発明に係る防犯サムターンの断面図である。
【図２】図１に示した防犯サムターンの正面図である。
【図３】図１に示した防犯サムターンの分解側面図である。
【図４】サムターン軸の斜視図である。
【図５】サムターン軸とクラッチピースの分解斜視図である。
【図６】クラッチピースの斜視図である。
【図７】ラッチの係止解除状態を表す動作説明図である。
【図８】摘み部材によるクラッチピース押圧開始状態を表す動作説明図である。
【図９】サムターン軸とクラッチピースの係合状態を表す動作説明図である。
【符号の説明】
【００３９】
１１…サムターン軸
１３…固定筒
１５…化粧リング
１７…可動筒
１９…摘み部材
１９Ａ…半部
２１…クラッチピース
３３…係合手段（突条）
３５…係合手段（係合溝）
５１…ストッパ段部
５９…支軸
６３…ラッチ
７５…磁性体（取付板）
８７…磁石
【図１】
2006249686.tif 000003
【図２】
2006249686.tif 000004
【図３】
2006249686.tif 000005
【図４】
2006249686.tif 000006
【図５】
2006249686.tif 000007
【図６】
2006249686.tif 000008
【図７】
2006249686.tif 000009
【図８】
2006249686.tif 000010
【図９】
2006249686.tif 000011